(57)【要約】【課題】本発明の目的は、通信装置の通信ログを漏れなく、且つまた確実に記録することが可能な通信装置の通信ログデータ記録方式を提供する。【解決手段】サブ機２は、通信ログ記録用のメモリ領域として、記憶部２４内にＲＡＭ２４１とＮＶＭ２４４とを有しており、また、ＲＡＭ２４１は、第１ＲＡＭエリア２４２と第２ＲＡＭエリア２４３の２つのエリアに分かれている。最初に、通信ログを第１ＲＡＭエリア２４２に記録し始めて、第１ＲＡＭエリア２４２が飽和状態になった時、記録対象を第１ＲＡＭエリア２４２から第２ＲＡＭエリア２４３に切り替えて記録する。一方、通信ログを記録した第１ＲＡＭエリア２４２が飽和状態となり、記録対象が第２ＲＡＭエリア２４３に切り替わると同時に、飽和状態となった第１ＲＡＭエリア２４２の記録データ全てをＮＶＭ２４４に記録する。【選択図】  図２
2008244544.tif 000002
【特許請求の範囲】
【請求項１】
通信相手先との通信ログデータを自装置内の記憶部に記録する通信装置の通信ログデータ記録方式であって、前記記憶部に通信ログデータを記録する第１のＲＡＭエリアと第２のＲＡＭエリアとを設け、最初に第１のＲＡＭエリアに通信ログデータを記録し始めて、該第１のＲＡＭエリアが飽和状態になった時、通信ログデータの記録先を第１のＲＡＭエリアから第２のＲＡＭエリアに切り替えて記録することを特徴とする通信装置の通信ログデータ記録方式。
【請求項２】
請求項１の通信装置の通信ログデータ記録方式であって、前記記憶部に通信ログデータを記録するＮＶＭ（Ｎｏｎ−Ｖｏｌａｔｉｌｅ  Ｍｅｍｏｒｙ）エリアを設け、前記第１のＲＡＭエリアが飽和状態になった時、第１のＲＡＭエリアに記録された通信ログデータを全てＮＶＭエリアに記録することを特徴とする通信装置の通信ログデータ記録方式。
【発明の詳細な説明】
【技術分野】
【０００１】
本発明は、通信装置の通信ログを漏れなく、且つまた確実に記録する通信装置の通信ログデータ記録方式に関する。
【背景技術】
【０００２】
図５は、従来の携帯電話等の通信システムの構成を示すブロック図である。従来の携帯電話等の通信システムは、図５に示したように、複数の基地局２’−１、２’−２、・・・、２’−ｎと、該複数の基地局２’−１、２’−２、・・・、２’−ｎの通信状態を監視するための監視装置１とが通信用ケーブル３を介して接続されており、稼動時には、メイン機としての監視装置１からサブ機である複数の基地局２’に対して命令を発行したり、また、現状のサブ機２’の状態をサブ機２’からメイン機１に対して通知したりする。
【発明の開示】
【発明が解決しようとする課題】
【０００３】
しかし、従来、上記のようなメイン機１とサブ機２’との間で行われていた通信に関する通信履歴（以下、通信ログと言う）はメイン機１側でのみ保持されていた。そこで、サブ機２’側で問題が発生した場合、その問題発生の経緯を調査するために問題発生時の通信ログが必要になるが、通信ログはメイン機１側で記録したものしか存在せず、そのメイン機１側で保持していたサブ機２’に関する通信ログを取得したとしても、そのフォーマットはメイン機１の製作者が考案したものであり、そのフォーマットの解読や問題発見のために必要な通信ログデータを探すのに非常に手間がかかるという問題があった。
【０００４】
また、メイン機１側でのサブ機２’からの通信ログ取得のタイミングおよび正確度などは不明であり、信頼性に欠けるという問題があった。
【０００５】
本発明は上記のような問題点を解消するためになされたものであり、メイン機とサブ機との間での通信ログがメイン機側でしか保存されておらず、問題発生時の問題解決にあたり、メイン機側に記録された通信ログのみに頼っていたという問題を解決する通信装置の通信ログデータ記録方式を提供することを目的とする。
【０００６】
また、通信装置の通信ログを漏れなく、且つまた確実に記録することが可能な通信装置の通信ログデータ記録方式を提供することを目的とする。
【課題を解決するための手段】
【０００７】
上述した課題を解決し、目的を達成するため、本発明の請求項１に係る通信装置の通信ログデータ記録方式は、通信相手先との通信ログデータを自装置内の記憶部に記録する通信装置の通信ログデータ記録方式であって、前記記憶部に通信ログデータを記録する第１のＲＡＭエリアと第２のＲＡＭエリアとを設け、最初に第１のＲＡＭエリアに通信ログデータを記録し始めて、該第１のＲＡＭエリアが飽和状態になった時、通信ログデータの記録先を第１のＲＡＭエリアから第２のＲＡＭエリアに切り替えて記録することを特徴とする。
【０００８】
また、本発明の請求項２に係る通信装置の通信ログデータ記録方式は、請求項１の通信装置の通信ログデータ記録方式であって、前記記憶部に通信ログデータを記録するＮＶＭ（Ｎｏｎ−Ｖｏｌａｔｉｌｅ  Ｍｅｍｏｒｙ）エリアを設け、前記第１のＲＡＭエリアが飽和状態になった時、第１のＲＡＭエリアに記録された通信ログデータを全てＮＶＭエリアに記録することを特徴とする。
【発明の効果】
【０００９】
本発明によれば、メイン機とサブ機との間での通信ログがメイン機並びにサブ機の両通信装置で保存することができるという効果がある。また、通信装置の通信ログを漏れなく、且つまた確実に記録することができるという効果がある。
【発明を実施するための最良の形態】
【００１０】
以下、図面を参照して本発明の第１の実施形態に係る携帯電話等の通信システムについて説明する。図１は、本発明の第１の実施形態に係る携帯電話等の通信システムの構成を示すブロック図である。図１に示すように、複数の基地局２−１、２−２、・・・、２−ｎと、該複数の基地局２−１、２−２、・・・、２−ｎの通信状態を監視するための監視装置１とが通信用ケーブル３を介して接続されており、稼動時には、メイン機としての監視装置１からサブ機となる複数の基地局２に対して命令を発行したり、また、現状のサブ機２の状態をサブ機２からメイン機１に対して通知したりする。
また、サブ機（基地局）２は、メイン機１に対してデータの送信を行う送信部２１と、メイン機１からデータを受信する受信部２２と、送信部２１と受信部２２を制御する制御部２３と、メイン機１との間で行われる通信の通信ログ等のデータを保存する記憶部２４とを有する構成となっている。
【００１１】
次に、本発明の第１の実施形態に係るサブ機２の記憶部２４の通信ログ記録用のメモリ構成について図２を用いて説明する。図２は、本発明の第１の実施形態に係るサブ機２の記憶部２４の通信ログ記録用のメモリ構成図である。図２に示すように、サブ機２は、メイン機１とサブ機２との間で行われる通信の通信ログ記録用のメモリ領域として、記憶部２４内にＲＡＭ２４１と不揮発性メモリ（ＮＶＭ：Ｎｏｎ−Ｖｏｌａｔｉｌｅ  Ｍｅｍｏｒｙ）２４４とを有している。ＲＡＭ２４１は、メイン機１とサブ機２との間で行われる通信の通信ログを即座に記録するためのバッファとして使用するものであって、第１ＲＡＭエリア２４２と第２ＲＡＭエリア２４３の２つのエリアに分かれている。つまり、最初に、通信ログを第１ＲＡＭエリア２４２に記録し始めて、第１ＲＡＭエリア２４２が飽和状態になった時、記録対象を第１ＲＡＭエリア２４２から第２ＲＡＭエリア２４３に切り替えて記録する。
一方、上記のように、通信ログを記録した第１ＲＡＭエリア２４２が飽和状態となり、記録対象が第２ＲＡＭエリア２４３に切り替わると同時に、飽和状態となった第１ＲＡＭエリア２４２の記録データ全てをＮＶＭ２４４に記録するものであり、サブ機２側で電源断やＲｅｓｅｔが入ってもなるべくデータが消えないようにしている。
【００１２】
そこで、本発明の第１の実施形態に係るサブ機２における通信ログの記録方式について図３を用いて説明する。図３は、本発明の第１の実施形態に係るサブ機２における通信ログを記録する際の制御部２３の動作を示すフローチャートである。
図３に示すように、サブ機２がメイン機１からデータを受信した場合、若しくはメイン機１へデータを送信する場合、データ送信、若しくはデータ受信後、まず通信ログ記録用のタイマが開始済みかどうかを判断する（Ｓ１）。タイマ開始未の場合、通信ログ記録用のタイマを開始（Ｓ２）し、また、タイマ開始済みの場合はＳ３へ進む。次に、通信ログ記録対象の第１ＲＡＭエリア２４２へ送信するデータ若しくは受信したデータ（通信ログ）を記録する（Ｓ３）。次に、通信ログ記録対象の第１ＲＡＭエリア２４２が飽和したか否かを確認する（Ｓ４）。第１ＲＡＭエリア２４２が飽和していない場合は処理を終了する。また、第１ＲＡＭエリア２４２が飽和している場合は、通信ログ記録用のタイマを停止する（Ｓ５）。次に、通信ログ記録対象のＲＡＭエリアを第１ＲＡＭエリア２４２から第２ＲＡＭエリア２４３に変更する（Ｓ６）。最後に、第１ＲＡＭエリア２４２の全データをＮＶＭ２４４に記録する（Ｓ７）。
【００１３】
しかしながら、上述した本発明の第１の実施形態に係るサブ機２における通信ログの記録方法のように、ＮＶＭ２４４への書き込みタイミングが第１ＲＡＭエリア２４２が飽和状態となった場合のみであると、メイン機１とサブ機２との間での通信量が少ない通信システムでは中々ＮＶＭ２４４に通信ログが記録されず、サブ機２でＲｅｓｅｔ等が入ってしまうと記録した通信ログデータが残らない可能性が出てしまう。
つまり、ＮＶＭ２４４への記録用にタイマを定期的に仕掛けてそのタイマがタイムアウトした場合、現在記録対象となっている第１ＲＡＭエリア２４２のデータ全てをＮＶＭ２４４に記録し、同時にＲＡＭエリアの記録対象を第２ＲＡＭエリア２４３に切り替えるようにする。
【００１４】
そこで、本発明の第２の実施形態に係るサブ機２における通信ログの記録方式について図４を用いて説明する。図４は、本発明の第２の実施形態に係るサブ機２における通信ログを記録する際の制御部２３の動作を示すフローチャートである。
サブ機２において通信ログ記録用タイマがタイムアップした場合に、まず、通信ログ記録対象のＲＡＭエリアを第１ＲＡＭエリア２４２から第２ＲＡＭエリア２４３に変更する（Ｓ１１）。最後に、第１ＲＡＭエリア２４２の全データをＮＶＭ２４４に記録する（Ｓ１２）。
【００１５】
なお、本発明の第１及び第２の実施形態においては、図２の通信ログ記録用のメモリ構成をサブ機２のメモリ構成として説明しているが、メイン機１の通信ログ記録用のメモリ構成を図２と同じ構成としても差し支えない。
【００１６】
以上本発明について詳細に説明したが、本発明は、ここに記載された携帯電話等の通信システムにおける通信装置に限定されるものではなく、上記以外の通信装置に広く適用することができることは言うまでもない。
【図面の簡単な説明】
【００１７】
【図１】本発明の第１の実施形態に係る携帯電話等の通信システムの構成を示すブロック図である。
【図２】本発明の第１の実施形態に係るサブ機２の記憶部２４の通信ログ記録用のメモリ構成図である。
【図３】本発明の第１の実施形態に係るサブ機２における通信ログを記録する際の制御部２３の動作を示すフローチャートである。
【図４】本発明の第２の実施形態に係るサブ機２における通信ログを記録する際の制御部２３の動作を示すフローチャートである。
【図５】従来の携帯電話等の通信システムの構成を示すブロック図である。
【符号の説明】
【００１８】
１：監視装置（メイン機）、２−１〜ｎ，２’−１〜ｎ：基地局（サブ機）、３：通信用ケーブル、２１：送信部、２２：受信部、２３：制御部、２４：記憶部、２４１：ＲＡＭ、２４２：第１ＲＡＭエリア、２４３：第２ＲＡＭエリア、２４４：ＮＶＭ。
【図１】
2008244544.tif 000003
【図２】
2008244544.tif 000004
【図３】
2008244544.tif 000005
【図４】
2008244544.tif 000006
【図５】
2008244544.tif 000007